(57)【要約】【課題】本発明は自動糸巻き機を開示した。【解決手段】本体を含み、前記本体の上端面には挟み装置が左右に対称し設置され、前記本体の中の中間には上方に開口した糸巻きチャンバが設置され、前記糸巻きチャンバの左右両側には伸縮装置が対称的に設置され、前記糸巻きチャンバの前後両側には糸割り装置が対称的に設置され、前記伸縮装置の下側には動力装置が設置され、前記糸割り装置が前記伸縮装置に伝動できるように連結され、前記糸巻きチャンバの下側には前に開口した落ちチャンバが連通するように設置され、本装置により糸を自動的に一つ一つの小さな糸ボールに巻き、また自動的に切断し次回の作業を行い、操作が非常に便利であり、作業効率も高い。【選択図】図１
2020180002.tif 000002
【特許請求の範囲】
【請求項１】
本体を含み、前記本体の上端面には挟み装置が左右に対称し設置され、前記本体の中の中間には上方に開口した糸巻きチャンバが設置され、前記糸巻きチャンバの左右両側には伸縮装置が対称的に設置され、前記糸巻きチャンバの前後両側には糸割り装置が対称的に設置され、前記伸縮装置の下側には動力装置が設置され、前記糸割り装置が前記伸縮装置に伝動できるように連結され、前記糸巻きチャンバの下側には前に開口した落ちチャンバが連通するように設置され、前記挟み装置が毛糸が周設されている大リールを前記糸巻きチャンバの上方に掛けることができ、前記伸縮装置の中にある糸巻きロッドが前記糸巻きチャンバの中に伸びるとき、前記糸割り装置を作動連動させ、前記動力装置により前記伸縮装置に糸を巻き連動させ、巻き終わった後に前記糸巻きロッドを回収し、同時に前記糸割り装置が糸を切断して次回の巻きを行い、前記挟み装置は前記本体の上端面に左右に対称的に設置されるガイドスライドチャンバを含み、前記ガイドスライドチャンバの中にはガイドスライドブロックがスライドできるように設置され、前記ガイドスライドブロックにおいて中心から離れている一端と前記ガイドスライドチャンバの内壁との間には圧縮ばねが固定的に連結され、前記ガイドスライドブロックの上端面には固定ロッドが固定的に設置され、前記固定ロッドにおいて中心に近接している端面には固定柱が固定的に設置され、
両側に前記固定ロッドを引き、大リールを前記固定柱に掛けることを特徴とする自動糸巻き機。
【請求項２】
前記伸縮装置は前記糸巻きチャンバの左右両側に対称的に設置される伸縮チャンバを含み、前記伸縮チャンバと前記糸巻きチャンバとの間には抜き穴が連通するように設置され、前記伸縮チャンバの間のうち前記落ちチャンバの下側には制御モータが固定的に設置され、前記制御モータの左右両端には前記伸縮チャンバの中に伸びているねじボルトが対称的に設置され、前記伸縮チャンバの中には前記ねじボルトにネジ山により連結される伸縮ブロックがスライドできるように設置され、前記伸縮ブロックの上端面において中心に近接している一端には支持板が固定的に設置され、前記糸巻きロッドが前記支持板を貫通して前記抜き穴の中に伸びており、前記糸巻きロッドにおいて中心から離れている一端には回転柱が固定的に設置され、前記回転柱の外周面には外部に開口したレールが設置され、前記伸縮ブロックの上端面には前記レールの中でスライドできるガイドスライドロッドが固定的に設置され、前記糸巻きロッドと前記回転柱の中には開口が中心から離れているスプライン穴が連通するように設置され、前記スプライン穴の中にはスプライン軸がスライドできるように設置され、左右両側の前記レールの軌跡が一致であり、
前記回転柱が回転すると同時に前記レールの軌跡により前記ガイドスライドロッドに沿って左右に移動し、前記糸巻きロッドを回転連動させると同時に左右に移動連動させることを特徴とする請求項１に記載の自動糸巻き機。
【請求項３】
前記糸割り装置は前記糸巻きチャンバの前後側に対称的に連通するように設置される刃物チャンバを含み、前記刃物チャンバにおいて中心から離れている側にはスライド板チャンバが連通するように設置され、前記スライド板チャンバの中にはスライド板がスライドできるように設置され、前記スライド板において中心に近接している一端には前記刃物チャンバを貫通し、且つ前記糸巻きチャンバの中に伸びられる刃物が固定的に設置され、前記スライド板において中心に近接している側の端面の左右端には連結ロッドが対称的にヒンジにより連結され、前記連結ロッドにおいて中心から離れている一端が前記支持板の前後両端にヒンジにより連結され、
前記支持板が互いに近づくとき前記スライド板が互いに離れ、位置ずれ動作を実現することを特徴とする請求項１に記載の自動糸巻き機。
【請求項４】
前記動力装置は前記伸縮チャンバの下側に連通するように設置される噛合チャンバを含み、前記伸縮ブロックの下端が前記噛合チャンバの中に伸びており、且つ前記伸縮ブロックの下端には回転軸が左右に貫通し設置され、前記回転軸において中心に近接している一端には平歯車が固定的に設置され、前記噛合チャンバの間の内壁には動力モータが固定的に設置され、前記動力モータの左右両端には前記平歯車と噛合できる内歯車が対称的に伝動できるように連結され、前記回転軸の中には伝動軸がスプラインにより連結され、前記噛合チャンバにおいて中心から離れている側にはプーリチャンバが設置され、前記伝動軸において中心から離れている一端が前記プーリチャンバの中に伸びており、且つ前記伝動軸において中心から離れている一端には駆動プーリが固定的に設置され、前記スプライン軸において中心から離れている一端が前記プーリチャンバの中に伸びており、且つ前記スプライン軸において中心から離れている一端には従動プーリが固定的に設置され、前記駆動プーリと前記従動プーリとの間には伝動ベルトが周設され、
前記平歯車と前記内歯車とが噛合した後に、前記動力モータが始動し前記糸巻きロッドと前記回転柱とを回転連動させることができることを特徴とする請求項１に記載の自動糸巻き機。
【発明の詳細な説明】
【技術分野】
【０００１】
本発明は編み技術分野を取り上げて、具体的には自動糸巻き機である。
【背景技術】
【０００２】
多くの人がタオルと、セーターなどのものを手で編むことが好きであるが、便利に携帯するために、糸をボールに巻く必要があり、大部分の人が手動で巻くことを選ぶが、効率が低いだけでなく、失敗もしやすく、既存の設備は効率を高めたが、人工で補助し完成することがまた必要となり、従って、自動糸巻き機が必要となり、本装置は自動的に糸を巻いて切断でき、次回の操作を行い、人工で操作する必要がなく、より快速で便利である。
【先行技術文献】
【特許文献】
【０００３】
【特許文献１】中国特許出願公開第109110568号明細書
【発明の概要】
【発明が解決しようとする課題】
【０００４】
本発明の目的は自動糸巻き機を提供し、それは上記の現在の技術中の問題を解決できる。
【課題を解決するための手段】
【０００５】
本発明の自動糸巻き機は、本体を含み、前記本体の上端面には挟み装置が左右に対称し設置され、前記本体の中の中間には上方に開口した糸巻きチャンバが設置され、前記糸巻きチャンバの左右両側には伸縮装置が対称的に設置され、前記糸巻きチャンバの前後両側には糸割り装置が対称的に設置され、前記伸縮装置の下側には動力装置が設置され、前記糸割り装置が前記伸縮装置に伝動できるように連結され、前記糸巻きチャンバの下側には前に開口した落ちチャンバが連通するように設置され、前記挟み装置が毛糸が周設されている大リールを前記糸巻きチャンバの上方に掛けることができ、前記伸縮装置の中にある糸巻きロッドが前記糸巻きチャンバの中に伸びるとき、前記糸割り装置を作動連動させ、前記動力装置により前記伸縮装置に糸を巻き連動させ、巻き終わった後に前記糸巻きロッドを回収し、同時に前記糸割り装置が糸を切断して次回の巻きを行い、前記挟み装置は前記本体の上端面に左右に対称的に設置されるガイドスライドチャンバを含み、前記ガイドスライドチャンバの中にはガイドスライドブロックがスライドできるように設置され、前記ガイドスライドブロックにおいて中心から離れている一端と前記ガイドスライドチャンバの内壁との間には圧縮ばねが固定的に連結され、前記ガイドスライドブロックの上端面には固定ロッドが固定的に設置され、前記固定ロッドにおいて中心に近接している端面には固定柱が固定的に設置され、
両側に前記固定ロッドを引き、大リールを前記固定柱に掛ける。
【０００６】
さらなる技術プラン、前記伸縮装置は前記糸巻きチャンバの左右両側に対称的に設置される伸縮チャンバを含み、前記伸縮チャンバと前記糸巻きチャンバとの間には抜き穴が連通するように設置され、前記伸縮チャンバの間のうち前記落ちチャンバの下側には制御モータが固定的に設置され、前記制御モータの左右両端には前記伸縮チャンバの中に伸びているねじボルトが対称的に設置され、前記伸縮チャンバの中には前記ねじボルトにネジ山により連結される伸縮ブロックがスライドできるように設置され、前記伸縮ブロックの上端面において中心に近接している一端には支持板が固定的に設置され、前記糸巻きロッドが前記支持板を貫通して前記抜き穴の中に伸びており、前記糸巻きロッドにおいて中心から離れている一端には回転柱が固定的に設置され、前記回転柱の外周面には外部に開口したレールが設置され、前記伸縮ブロックの上端面には前記レールの中でスライドできるガイドスライドロッドが固定的に設置され、前記糸巻きロッドと前記回転柱の中には開口が中心から離れているスプライン穴が連通するように設置され、前記スプライン穴の中にはスプライン軸がスライドできるように設置され、左右両側の前記レールの軌跡が一致であり、
前記回転柱が回転すると同時に前記レールの軌跡により前記ガイドスライドロッドに沿って左右に移動し、前記糸巻きロッドを回転連動させると同時に左右に移動連動させる。
【０００７】
さらなる技術プラン、前記糸割り装置は前記糸巻きチャンバの前後側に対称的に連通するように設置される刃物チャンバを含み、前記刃物チャンバにおいて中心から離れている側にはスライド板チャンバが連通するように設置され、前記スライド板チャンバの中にはスライド板がスライドできるように設置され、前記スライド板において中心に近接している一端には前記刃物チャンバを貫通し、且つ前記糸巻きチャンバの中に伸びられる刃物が固定的に設置され、前記スライド板において中心に近接している側の端面の左右端には連結ロッドが対称的にヒンジにより連結され、前記連結ロッドにおいて中心から離れている一端が前記支持板の前後両端にヒンジにより連結され、
前記支持板が互いに近づくとき前記スライド板が互いに離れ、位置ずれ動作を実現する。
【０００８】
さらなる技術プラン、前記動力装置は前記伸縮チャンバの下側に連通するように設置される噛合チャンバを含み、前記伸縮ブロックの下端が前記噛合チャンバの中に伸びており、且つ前記伸縮ブロックの下端には回転軸が左右に貫通し設置され、前記回転軸において中心に近接している一端には平歯車が固定的に設置され、前記噛合チャンバの間の内壁には動力モータが固定的に設置され、前記動力モータの左右両端には前記平歯車と噛合できる内歯車が対称的に伝動できるように連結され、前記回転軸の中には伝動軸がスプラインにより連結され、前記噛合チャンバにおいて中心から離れている側にはプーリチャンバが設置され、前記伝動軸において中心から離れている一端が前記プーリチャンバの中に伸びており、且つ前記伝動軸において中心から離れている一端には駆動プーリが固定的に設置され、前記スプライン軸において中心から離れている一端が前記プーリチャンバの中に伸びており、且つ前記スプライン軸において中心から離れている一端には従動プーリが固定的に設置され、前記駆動プーリと前記従動プーリとの間には伝動ベルトが周設され、
前記平歯車と前記内歯車とが噛合した後に、前記動力モータが始動し前記糸巻きロッドと前記回転柱とを回転連動させることができる。
【発明の効果】
【０００９】
本発明の有益的な効果は：本発明は構造が簡単で、操作が便利であり、本装置により糸を自動的に一つ一つの小さな糸ボールに巻き、また自動的に切断し次回の作業を行い、操作が非常に便利であり、作業効率も高い。
【図面の簡単な説明】
【００１０】
【図１】図１は本発明の自動糸巻き機の内部全体構造概略図
【図２】図２は図１のＡ−Ａ方向の構造概略図
【図３】図３は図２のＢ−Ｂ方向の構造概略図
【図４】図４は本発明の「回転柱」の外観概略図
【発明を実施するための形態】
【００１１】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−４を参照し、本発明の自動糸巻き機は、本体１１を含み、前記本体１１の上端面には挟み装置１０１が左右に対称し設置され、前記本体１１の中の中間には上方に開口した糸巻きチャンバ１２が設置され、前記糸巻きチャンバ１２の左右両側には伸縮装置１０２が対称的に設置され、前記糸巻きチャンバ１２の前後両側には糸割り装置１０３が対称的に設置され、前記伸縮装置１０２の下側には動力装置１０４が設置され、前記糸割り装置１０３が前記伸縮装置１０２に伝動できるように連結され、前記糸巻きチャンバ１２の下側には前に開口した落ちチャンバ１３が連通するように設置され、前記挟み装置１０１が毛糸が周設されている大リールを前記糸巻きチャンバ１２の上方に掛けることができ、前記伸縮装置１０２の中にある糸巻きロッド１４が前記糸巻きチャンバ１２の中に伸びるとき、前記糸割り装置１０３を作動連動させ、前記動力装置１０４により前記伸縮装置１０２に糸を巻き連動させ、巻き終わった後に前記糸巻きロッド１４を回収し、同時に前記糸割り装置１０３が糸を切断して次回の巻きを行い、前記挟み装置１０１は前記本体１１の上端面に左右に対称的に設置されるガイドスライドチャンバ１５を含み、前記ガイドスライドチャンバ１５の中にはガイドスライドブロック１６がスライドできるように設置され、前記ガイドスライドブロック１６において中心から離れている一端と前記ガイドスライドチャンバ１５の内壁との間には圧縮ばね１７が固定的に連結され、前記ガイドスライドブロック１６の上端面には固定ロッド１８が固定的に設置され、前記固定ロッド１８において中心に近接している端面には固定柱１９が固定的に設置され、
両側に前記固定ロッド１８を引き、大リールを前記固定柱１９に掛ける。
【００１３】
有益的には、前記伸縮装置１０２は前記糸巻きチャンバ１２の左右両側に対称的に設置される伸縮チャンバ２０を含み、前記伸縮チャンバ２０と前記糸巻きチャンバ１２との間には抜き穴２１が連通するように設置され、前記伸縮チャンバ２０の間のうち前記落ちチャンバ１３の下側には制御モータ２２が固定的に設置され、前記制御モータ２２の左右両端には前記伸縮チャンバ２０の中に伸びているねじボルト２３が対称的に設置され、前記伸縮チャンバ２０の中には前記ねじボルト２３にネジ山により連結される伸縮ブロック２４がスライドできるように設置され、前記伸縮ブロック２４の上端面において中心に近接している一端には支持板２５が固定的に設置され、前記糸巻きロッド１４が前記支持板２５を貫通して前記抜き穴２１の中に伸びており、前記糸巻きロッド１４において中心から離れている一端には回転柱２６が固定的に設置され、前記回転柱２６の外周面には外部に開口したレール２７が設置され、前記伸縮ブロック２４の上端面には前記レール２７の中でスライドできるガイドスライドロッド２８が固定的に設置され、前記糸巻きロッド１４と前記回転柱２６の中には開口が中心から離れているスプライン穴２９が連通するように設置され、前記スプライン穴２９の中にはスプライン軸３０がスライドできるように設置され、左右両側の前記レール２７の軌跡が一致であり、
前記回転柱２６が回転すると同時に前記レール２７の軌跡により前記ガイドスライドロッド２８に沿って左右に移動し、前記糸巻きロッド１４を回転連動させると同時に左右に移動連動させる。
【００１４】
有益的には、前記糸割り装置１０３は前記糸巻きチャンバ１２の前後側に対称的に連通するように設置される刃物チャンバ３１を含み、前記刃物チャンバ３１において中心から離れている側にはスライド板チャンバ３２が連通するように設置され、前記スライド板チャンバ３２の中にはスライド板３３がスライドできるように設置され、前記スライド板３３において中心に近接している一端には前記刃物チャンバ３１を貫通し、且つ前記糸巻きチャンバ１２の中に伸びられる刃物３４が固定的に設置され、前記スライド板３３において中心に近接している側の端面の左右端には連結ロッド３５が対称的にヒンジにより連結され、前記連結ロッド３５において中心から離れている一端が前記支持板２５の前後両端にヒンジにより連結され、
前記支持板２５が互いに近づくとき前記スライド板３３が互いに離れ、位置ずれ動作を実現する。
【００１５】
有益的には、前記動力装置１０４は前記伸縮チャンバ２０の下側に連通するように設置される噛合チャンバ３６を含み、前記伸縮ブロック２４の下端が前記噛合チャンバ３６の中に伸びており、且つ前記伸縮ブロック２４の下端には回転軸３７が左右に貫通し設置され、前記回転軸３７において中心に近接している一端には平歯車３８が固定的に設置され、前記噛合チャンバ３６の間の内壁には動力モータ３９が固定的に設置され、前記動力モータ３９の左右両端には前記平歯車３８と噛合できる内歯車４０が対称的に伝動できるように連結され、前記回転軸３７の中には伝動軸４１がスプラインにより連結され、前記噛合チャンバ３６において中心から離れている側にはプーリチャンバ４２が設置され、前記伝動軸４１において中心から離れている一端が前記プーリチャンバ４２の中に伸びており、且つ前記伝動軸４１において中心から離れている一端には駆動プーリ４３が固定的に設置され、前記スプライン軸３０において中心から離れている一端が前記プーリチャンバ４２の中に伸びており、且つ前記スプライン軸３０において中心から離れている一端には従動プーリ４４が固定的に設置され、前記駆動プーリ４３と前記従動プーリ４４との間には伝動ベルト４５が周設され、
前記平歯車３８と前記内歯車４０とが噛合した後に、前記動力モータ３９が始動し前記糸巻きロッド１４と前記回転柱２６とを回転連動させることができる。
【００１６】
初期状態に、刃物３４が互いに近づき糸巻きチャンバ１２を密封し、糸巻きロッド１４が伸縮チャンバ２０の中に引っ込み、伸縮ブロック２４が中心から離れている限界位置に位置しており、平歯車３８と内歯車４０とが噛合していない。
【００１７】
糸を巻くとき、大リールを固定ロッド１８の間に取り付け、糸の一端を引き出し刃物３４に落とし、制御モータ２２が始動しねじボルト２３を回転連動させ、ネジ山連結により伸縮ブロック２４を中心に近接している方向へ移動連動させ、支持板２５とガイドスライドロッド２８とにより回転柱２６と糸巻きロッド１４とを中心に近接している方向へ移動連動させ、糸巻きロッド１４が糸巻きチャンバ１２の中に伸びており、支持板２５が連結ロッド３５によりスライド板３３を中心から離れている方向へ移動連動させ、刃物３４を刃物チャンバ３１の中に移動連動させ、また糸巻きチャンバ１２を開け、糸の端が糸巻きチャンバ１２の中に落ち、糸巻きチャンバ１２が全開になると、糸巻きロッド１４が互いに近づき糸の端を挟み、このとき刃物３４が回転軸３７により平歯車３８を内歯車４０と噛合するまで移動連動させ、このとき動力モータ３９が始動し内歯車４０を回転連動させ、歯車噛合により平歯車３８を回転連動させ、回転軸３７と伝動軸４１により駆動プーリ４３を回転連動させ、伝動ベルト４５により従動プーリ４４を回転連動させ、スプライン軸３０により回転柱２６と糸巻きロッド１４とを回転連動させ、このとき糸巻きロッド１４が回転すると同時に左右に移動し、それにより糸を巻き、糸巻きが完成した後に、制御モータ２２が初期状態に反転し、刃物３４が糸を切断するとき、糸ボールが糸巻きロッド１４から離脱し、落ちチャンバ１３により収集される。
【００１８】
本発明の有益的な効果は：本発明は構造が簡単で、操作が便利であり、本装置により糸を自動的に一つ一つの小さな糸ボールに巻き、また自動的に切断し次回の作業を行い、操作が非常に便利であり、作業効率も高い。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180002.tif 000003
【図２】
2020180002.tif 000004
【図３】
2020180002.tif 000005
【図４】
2020180002.tif 000006
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
本体を含み、前記本体の上端面には挟み装置が左右に対称し設置され、前記本体の中の中間には上方に開口した糸巻きチャンバが設置され、前記糸巻きチャンバの左右両側には伸縮装置が対称的に設置され、前記糸巻きチャンバの前後両側には糸割り装置が対称的に設置され、前記伸縮装置の下側には動力装置が設置され、前記糸割り装置が前記伸縮装置に伝動できるように連結され、前記糸巻きチャンバの下側には前に開口した落ちチャンバが連通するように設置され、前記挟み装置が毛糸が周設されている大リールを前記糸巻きチャンバの上方に掛けることができ、前記挟み装置は前記本体の上端面に左右に対称的に設置されるガイドスライドチャンバを含み、前記ガイドスライドチャンバの中にはガイドスライドブロックがスライドできるように設置され、前記ガイドスライドブロックにおいて中心から離れている一端と前記ガイドスライドチャンバの内壁との間には圧縮ばねが固定的に連結され、前記ガイドスライドブロックの上端面には固定ロッドが固定的に設置され、前記固定ロッドにおいて中心に近接している端面には固定柱が固定的に設置され、
両側に前記固定ロッドを引き、大リールを前記固定柱に掛けることができ、
前記伸縮装置は前記糸巻きチャンバの左右両側に対称的に設置される伸縮チャンバを含み、前記伸縮チャンバと前記糸巻きチャンバとの間には抜き穴が連通するように設置され、前記伸縮チャンバの間のうち前記落ちチャンバの下側には制御モータが固定的に設置され、前記制御モータの左右両端には前記伸縮チャンバの中に伸びているねじボルトが対称的に設置され、前記伸縮チャンバの中には前記ねじボルトにネジ山により連結される伸縮ブロックがスライドできるように設置され、前記伸縮ブロックの上端面において中心に近接している一端には支持板が固定的に設置され、前記糸巻きロッドが前記支持板を貫通して前記抜き穴の中に伸びており、前記糸巻きロッドにおいて中心から離れている一端には回転柱が固定的に設置され、前記回転柱の外周面には外部に開口したレールが設置され、前記伸縮ブロックの上端面には前記レールの中でスライドできるガイドスライドロッドが固定的に設置され、前記糸巻きロッドと前記回転柱の中には開口が中心から離れているスプライン穴が連通するように設置され、前記スプライン穴の中にはスプライン軸がスライドできるように設置され、左右両側の前記レールの軌跡が一致であり、
前記回転柱が回転すると同時に前記レールの軌跡により前記ガイドスライドロッドに沿って左右に移動し、前記糸巻きロッドを回転連動させると同時に左右に移動連動させることができ、
前記糸割り装置は前記糸巻きチャンバの前後側に対称的に連通するように設置される刃物チャンバを含み、前記刃物チャンバにおいて中心から離れている側にはスライド板チャンバが連通するように設置され、前記スライド板チャンバの中にはスライド板がスライドできるように設置され、前記スライド板において中心に近接している一端には前記刃物チャンバを貫通し、且つ前記糸巻きチャンバの中に伸びる刃物が固定的に設置され、前記スライド板において中心に近接している側の端面の左右端には連結ロッドが対称的にヒンジにより連結され、前記連結ロッドにおいて中心から離れている一端が前記支持板の前後両端にヒンジにより連結されており、
前記動力装置は前記伸縮チャンバの下側に連通するように設置される噛合チャンバを含み、前記伸縮ブロックの下端が前記噛合チャンバの中に伸びており、且つ前記伸縮ブロックの下端には回転軸が左右に貫通し設置され、前記回転軸において中心に近接している一端には平歯車が固定的に設置され、前記噛合チャンバの間の内壁には動力モータが固定的に設置され、前記動力モータの左右両端には前記平歯車と噛合できる内歯車が対称的に伝動できるように連結され、前記回転軸の中には伝動軸がスプラインにより連結され、前記噛合チャンバにおいて中心から離れている側にはプーリチャンバが設置され、前記伝動軸において中心から離れている一端が前記プーリチャンバの中に伸びており、且つ前記伝動軸において中心から離れている一端には駆動プーリが固定的に設置され、前記スプライン軸において中心から離れている一端が前記プーリチャンバの中に伸びており、且つ前記スプライン軸において中心から離れている一端には従動プーリが固定的に設置され、前記駆動プーリと前記従動プーリとの間には伝動ベルトが周設され、
前記平歯車と前記内歯車とが噛合した後に、前記動力モータが始動し前記糸巻きロッドと前記回転柱とを回転連動させることができることを特徴とする自動糸巻き機。
【手続補正２】
【補正対象書類名】明細書
【補正対象項目名】全文
【補正方法】変更
【補正の内容】
【発明の詳細な説明】
【技術分野】
【０００１】
本発明は編み技術分野を取り上げて、具体的には自動糸巻き機である。
【背景技術】
【０００２】
多くの人がタオルと、セーターなどのものを手で編むことが好きであるが、便利に携帯するために、糸をボールに巻く必要があり、大部分の人が手動で巻くことを選ぶが、効率が低いだけでなく、失敗もしやすく、既存の設備は効率を高めたが、人工で補助し完成することがまた必要となり、従って、自動糸巻き機が必要となり、本装置は自動的に糸を巻いて切断でき、次回の操作を行い、人工で操作する必要がなく、より快速で便利である。
【先行技術文献】
【特許文献】
【０００３】
【特許文献１】中国特許出願公開第109110568号明細書
【発明の概要】
【発明が解決しようとする課題】
【０００４】
本発明の目的は自動糸巻き機を提供し、それは上記の現在の技術中の問題を解決できる。
【課題を解決するための手段】
【０００５】
本発明の自動糸巻き機は、本体を含み、前記本体の上端面には挟み装置が左右に対称し設置され、前記本体の中の中間には上方に開口した糸巻きチャンバが設置され、前記糸巻きチャンバの左右両側には伸縮装置が対称的に設置され、前記糸巻きチャンバの前後両側には糸割り装置が対称的に設置され、前記伸縮装置の下側には動力装置が設置され、前記糸割り装置が前記伸縮装置に伝動できるように連結され、前記糸巻きチャンバの下側には前に開口した落ちチャンバが連通するように設置され、前記挟み装置が毛糸が周設されている大リールを前記糸巻きチャンバの上方に掛けることができ、前記挟み装置は前記本体の上端面に左右に対称的に設置されるガイドスライドチャンバを含み、前記ガイドスライドチャンバの中にはガイドスライドブロックがスライドできるように設置され、前記ガイドスライドブロックにおいて中心から離れている一端と前記ガイドスライドチャンバの内壁との間には圧縮ばねが固定的に連結され、前記ガイドスライドブロックの上端面には固定ロッドが固定的に設置され、前記固定ロッドにおいて中心に近接している端面には固定柱が固定的に設置され、
両側に前記固定ロッドを引き、大リールを前記固定柱に掛ける。
【０００６】
さらなる技術プラン、前記伸縮装置は前記糸巻きチャンバの左右両側に対称的に設置される伸縮チャンバを含み、前記伸縮チャンバと前記糸巻きチャンバとの間には抜き穴が連通するように設置され、前記伸縮チャンバの間のうち前記落ちチャンバの下側には制御モータが固定的に設置され、前記制御モータの左右両端には前記伸縮チャンバの中に伸びているねじボルトが対称的に設置され、前記伸縮チャンバの中には前記ねじボルトにネジ山により連結される伸縮ブロックがスライドできるように設置され、前記伸縮ブロックの上端面において中心に近接している一端には支持板が固定的に設置され、前記糸巻きロッドが前記支持板を貫通して前記抜き穴の中に伸びており、前記糸巻きロッドにおいて中心から離れている一端には回転柱が固定的に設置され、前記回転柱の外周面には外部に開口したレールが設置され、前記伸縮ブロックの上端面には前記レールの中でスライドできるガイドスライドロッドが固定的に設置され、前記糸巻きロッドと前記回転柱の中には開口が中心から離れているスプライン穴が連通するように設置され、前記スプライン穴の中にはスプライン軸がスライドできるように設置され、左右両側の前記レールの軌跡が一致であり、
前記回転柱が回転すると同時に前記レールの軌跡により前記ガイドスライドロッドに沿って左右に移動し、前記糸巻きロッドを回転連動させると同時に左右に移動連動させる。
【０００７】
さらなる技術プラン、前記糸割り装置は前記糸巻きチャンバの前後側に対称的に連通するように設置される刃物チャンバを含み、前記刃物チャンバにおいて中心から離れている側にはスライド板チャンバが連通するように設置され、前記スライド板チャンバの中にはスライド板がスライドできるように設置され、前記スライド板において中心に近接している一端には前記刃物チャンバを貫通し、且つ前記糸巻きチャンバの中に伸びる刃物が固定的に設置され、前記スライド板において中心に近接している側の端面の左右端には連結ロッドが対称的にヒンジにより連結され、前記連結ロッドにおいて中心から離れている一端が前記支持板の前後両端にヒンジにより連結されている。
【０００８】
さらなる技術プラン、前記動力装置は前記伸縮チャンバの下側に連通するように設置される噛合チャンバを含み、前記伸縮ブロックの下端が前記噛合チャンバの中に伸びており、且つ前記伸縮ブロックの下端には回転軸が左右に貫通し設置され、前記回転軸において中心に近接している一端には平歯車が固定的に設置され、前記噛合チャンバの間の内壁には動力モータが固定的に設置され、前記動力モータの左右両端には前記平歯車と噛合できる内歯車が対称的に伝動できるように連結され、前記回転軸の中には伝動軸がスプラインにより連結され、前記噛合チャンバにおいて中心から離れている側にはプーリチャンバが設置され、前記伝動軸において中心から離れている一端が前記プーリチャンバの中に伸びており、且つ前記伝動軸において中心から離れている一端には駆動プーリが固定的に設置され、前記スプライン軸において中心から離れている一端が前記プーリチャンバの中に伸びており、且つ前記スプライン軸において中心から離れている一端には従動プーリが固定的に設置され、前記駆動プーリと前記従動プーリとの間には伝動ベルトが周設され、
前記平歯車と前記内歯車とが噛合した後に、前記動力モータが始動し前記糸巻きロッドと前記回転柱とを回転連動させることができる。
【発明の効果】
【０００９】
本発明の有益的な効果は：本発明は構造が簡単で、操作が便利であり、本装置により糸を自動的に一つ一つの小さな糸ボールに巻き、また自動的に切断し次回の作業を行い、操作が非常に便利であり、作業効率も高い。
【図面の簡単な説明】
【００１０】
【図１】図１は本発明の自動糸巻き機の内部全体構造概略図
【図２】図２は図１のＡ−Ａ方向の構造概略図
【図３】図３は図２のＢ−Ｂ方向の構造概略図
【図４】図４は本発明の「回転柱」の外観概略図
【発明を実施するための形態】
【００１１】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−４を参照し、本発明の自動糸巻き機は、本体１１を含み、前記本体１１の上端面には挟み装置１０１が左右に対称し設置され、前記本体１１の中の中間には上方に開口した糸巻きチャンバ１２が設置され、前記糸巻きチャンバ１２の左右両側には伸縮装置１０２が対称的に設置され、前記糸巻きチャンバ１２の前後両側には糸割り装置１０３が対称的に設置され、前記伸縮装置１０２の下側には動力装置１０４が設置され、前記糸割り装置１０３が前記伸縮装置１０２に伝動できるように連結され、前記糸巻きチャンバ１２の下側には前に開口した落ちチャンバ１３が連通するように設置され、前記挟み装置１０１が毛糸が周設されている大リールを前記糸巻きチャンバ１２の上方に掛けることができ、前記挟み装置１０１は前記本体１１の上端面に左右に対称的に設置されるガイドスライドチャンバ１５を含み、前記ガイドスライドチャンバ１５の中にはガイドスライドブロック１６がスライドできるように設置され、前記ガイドスライドブロック１６において中心から離れている一端と前記ガイドスライドチャンバ１５の内壁との間には圧縮ばね１７が固定的に連結され、前記ガイドスライドブロック１６の上端面には固定ロッド１８が固定的に設置され、前記固定ロッド１８において中心に近接している端面には固定柱１９が固定的に設置され、
両側に前記固定ロッド１８を引き、大リールを前記固定柱１９に掛ける。
【００１３】
有益的には、前記伸縮装置１０２は前記糸巻きチャンバ１２の左右両側に対称的に設置される伸縮チャンバ２０を含み、前記伸縮チャンバ２０と前記糸巻きチャンバ１２との間には抜き穴２１が連通するように設置され、前記伸縮チャンバ２０の間のうち前記落ちチャンバ１３の下側には制御モータ２２が固定的に設置され、前記制御モータ２２の左右両端には前記伸縮チャンバ２０の中に伸びているねじボルト２３が対称的に設置され、前記伸縮チャンバ２０の中には前記ねじボルト２３にネジ山により連結される伸縮ブロック２４がスライドできるように設置され、前記伸縮ブロック２４の上端面において中心に近接している一端には支持板２５が固定的に設置され、前記糸巻きロッド１４が前記支持板２５を貫通して前記抜き穴２１の中に伸びており、前記糸巻きロッド１４において中心から離れている一端には回転柱２６が固定的に設置され、前記回転柱２６の外周面には外部に開口したレール２７が設置され、前記伸縮ブロック２４の上端面には前記レール２７の中でスライドできるガイドスライドロッド２８が固定的に設置され、前記糸巻きロッド１４と前記回転柱２６の中には開口が中心から離れているスプライン穴２９が連通するように設置され、前記スプライン穴２９の中にはスプライン軸３０がスライドできるように設置され、左右両側の前記レール２７の軌跡が一致であり、
前記回転柱２６が回転すると同時に前記レール２７の軌跡により前記ガイドスライドロッド２８に沿って左右に移動し、前記糸巻きロッド１４を回転連動させると同時に左右に移動連動させる。
【００１４】
有益的には、前記糸割り装置１０３は前記糸巻きチャンバ１２の前後側に対称的に連通するように設置される刃物チャンバ３１を含み、前記刃物チャンバ３１において中心から離れている側にはスライド板チャンバ３２が連通するように設置され、前記スライド板チャンバ３２の中にはスライド板３３がスライドできるように設置され、前記スライド板３３において中心に近接している一端には前記刃物チャンバ３１を貫通し、且つ前記糸巻きチャンバ１２の中に伸びる刃物３４が固定的に設置され、前記スライド板３３において中心に近接している側の端面の左右端には連結ロッド３５が対称的にヒンジにより連結され、前記連結ロッド３５において中心から離れている一端が前記支持板２５の前後両端にヒンジにより連結されている。
【００１５】
有益的には、前記動力装置１０４は前記伸縮チャンバ２０の下側に連通するように設置される噛合チャンバ３６を含み、前記伸縮ブロック２４の下端が前記噛合チャンバ３６の中に伸びており、且つ前記伸縮ブロック２４の下端には回転軸３７が左右に貫通し設置され、前記回転軸３７において中心に近接している一端には平歯車３８が固定的に設置され、前記噛合チャンバ３６の間の内壁には動力モータ３９が固定的に設置され、前記動力モータ３９の左右両端には前記平歯車３８と噛合できる内歯車４０が対称的に伝動できるように連結され、前記回転軸３７の中には伝動軸４１がスプラインにより連結され、前記噛合チャンバ３６において中心から離れている側にはプーリチャンバ４２が設置され、前記伝動軸４１において中心から離れている一端が前記プーリチャンバ４２の中に伸びており、且つ前記伝動軸４１において中心から離れている一端には駆動プーリ４３が固定的に設置され、前記スプライン軸３０において中心から離れている一端が前記プーリチャンバ４２の中に伸びており、且つ前記スプライン軸３０において中心から離れている一端には従動プーリ４４が固定的に設置され、前記駆動プーリ４３と前記従動プーリ４４との間には伝動ベルト４５が周設され、
前記平歯車３８と前記内歯車４０とが噛合した後に、前記動力モータ３９が始動し前記糸巻きロッド１４と前記回転柱２６とを回転連動させることができる。
【００１６】
初期状態に、刃物３４が互いに近づき糸巻きチャンバ１２を密封し、糸巻きロッド１４が伸縮チャンバ２０の中に引っ込み、伸縮ブロック２４が中心から離れている限界位置に位置しており、平歯車３８と内歯車４０とが噛合していない。
【００１７】
糸を巻くとき、大リールを固定ロッド１８の間に取り付け、糸の一端を引き出し刃物３４に落とし、制御モータ２２が始動しねじボルト２３を回転連動させ、ネジ山連結により伸縮ブロック２４を中心に近接している方向へ移動連動させ、支持板２５とガイドスライドロッド２８とにより回転柱２６と糸巻きロッド１４とを中心に近接している方向へ移動連動させ、糸巻きロッド１４が糸巻きチャンバ１２の中に伸びており、支持板２５が連結ロッド３５によりスライド板３３を中心から離れている方向へ移動連動させ、刃物３４を刃物チャンバ３１の中に移動連動させ、また糸巻きチャンバ１２を開け、糸の端が糸巻きチャンバ１２の中に落ち、糸巻きチャンバ１２が全開になると、糸巻きロッド１４が互いに近づき糸の端を挟み、このとき刃物３４が回転軸３７により平歯車３８を内歯車４０と噛合するまで移動連動させ、このとき動力モータ３９が始動し内歯車４０を回転連動させ、歯車噛合により平歯車３８を回転連動させ、回転軸３７と伝動軸４１により駆動プーリ４３を回転連動させ、伝動ベルト４５により従動プーリ４４を回転連動させ、スプライン軸３０により回転柱２６と糸巻きロッド１４とを回転連動させ、このとき糸巻きロッド１４が回転すると同時に左右に移動し、それにより糸を巻き、糸巻きが完成した後に、制御モータ２２が初期状態に反転し、刃物３４が糸を切断するとき、糸ボールが糸巻きロッド１４から離脱し、落ちチャンバ１３により収集される。
【００１８】
本発明の有益的な効果は：本発明は構造が簡単で、操作が便利であり、本装置により糸を自動的に一つ一つの小さな糸ボールに巻き、また自動的に切断し次回の作業を行い、操作が非常に便利であり、作業効率も高い。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
本体を含み、前記本体の上端面には挟み装置が左右に対称し設置され、前記本体の中の中間には上方に開口した糸巻きチャンバが設置され、前記糸巻きチャンバの左右両側には伸縮装置が対称的に設置され、前記糸巻きチャンバの前後両側には糸割り装置が対称的に設置され、前記伸縮装置の下側には動力装置が設置され、前記糸割り装置が前記伸縮装置に伝動できるように連結され、前記糸巻きチャンバの下側には前に開口した落ちチャンバが連通するように設置され、前記挟み装置が毛糸が周設されている大リールを前記糸巻きチャンバの上方に掛けることができ、前記挟み装置は前記本体の上端面に左右に対称的に設置されるガイドスライドチャンバを含み、前記ガイドスライドチャンバの中にはガイドスライドブロックがスライドできるように設置され、前記ガイドスライドブロックにおいて中心から離れている一端と前記ガイドスライドチャンバの内壁との間には圧縮ばねが固定的に連結され、前記ガイドスライドブロックの上端面には固定ロッドが固定的に設置され、前記固定ロッドにおいて中心に近接している端面には固定柱が固定的に設置され、
両側に前記固定ロッドを引き、大リールを前記固定柱に掛けることができ、
前記伸縮装置は前記糸巻きチャンバの左右両側に対称的に設置される伸縮チャンバを含み、前記伸縮チャンバと前記糸巻きチャンバとの間には抜き穴が連通するように設置され、前記伸縮チャンバの間のうち前記落ちチャンバの下側には制御モータが固定的に設置され、前記制御モータの左右両端には前記伸縮チャンバの中に伸びているねじボルトが対称的に設置され、前記伸縮チャンバの中には前記ねじボルトにネジ山により連結される伸縮ブロックがスライドできるように設置され、前記伸縮ブロックの上端面において中心に近接している一端には支持板が固定的に設置され、糸巻きロッドが前記支持板を貫通して前記抜き穴の中に伸びており、前記糸巻きロッドにおいて中心から離れている一端には回転柱が固定的に設置され、前記回転柱の外周面には外部に開口したレールが設置され、前記伸縮ブロックの上端面には前記レールの中でスライドできるガイドスライドロッドが固定的に設置され、前記糸巻きロッドと前記回転柱の中には開口が中心から離れているスプライン穴が連通するように設置され、前記スプライン穴の中にはスプライン軸がスライドできるように設置され、左右両側の前記レールの軌跡が一致であり、
前記回転柱が回転すると同時に前記レールの軌跡により前記ガイドスライドロッドに沿って左右に移動し、前記糸巻きロッドを回転連動させると同時に左右に移動連動させることができ、
前記糸割り装置は前記糸巻きチャンバの前後側に対称的に連通するように設置される刃物チャンバを含み、前記刃物チャンバにおいて中心から離れている側にはスライド板チャンバが連通するように設置され、前記スライド板チャンバの中にはスライド板がスライドできるように設置され、前記スライド板において中心に近接している一端には前記刃物チャンバを貫通し、且つ前記糸巻きチャンバの中に伸びる刃物が固定的に設置され、前記スライド板において中心に近接している側の端面の左右端には連結ロッドが対称的にヒンジにより連結され、前記連結ロッドにおいて中心から離れている一端が前記支持板の前後両端にヒンジにより連結されており、
前記動力装置は前記伸縮チャンバの下側に連通するように設置される噛合チャンバを含み、前記伸縮ブロックの下端が前記噛合チャンバの中に伸びており、且つ前記伸縮ブロックの下端には回転軸が左右に貫通し設置され、前記回転軸において中心に近接している一端には平歯車が固定的に設置され、前記噛合チャンバの間の内壁には動力モータが固定的に設置され、前記動力モータの左右両端には前記平歯車と噛合できる内歯車が対称的に伝動できるように連結され、前記回転軸の中には伝動軸がスプラインにより連結され、前記噛合チャンバにおいて中心から離れている側にはプーリチャンバが設置され、前記伝動軸において中心から離れている一端が前記プーリチャンバの中に伸びており、且つ前記伝動軸において中心から離れている一端には駆動プーリが固定的に設置され、前記スプライン軸において中心から離れている一端が前記プーリチャンバの中に伸びており、且つ前記スプライン軸において中心から離れている一端には従動プーリが固定的に設置され、前記駆動プーリと前記従動プーリとの間には伝動ベルトが周設され、
前記平歯車と前記内歯車とが噛合した後に、前記動力モータが始動し前記糸巻きロッドと前記回転柱とを回転連動させることができることを特徴とする自動糸巻き機。
【手続補正２】
【補正対象書類名】明細書
【補正対象項目名】全文
【補正方法】変更
【補正の内容】
【発明の詳細な説明】
【技術分野】
【０００１】
本発明は編み技術分野を取り上げて、具体的には自動糸巻き機である。
【背景技術】
【０００２】
多くの人がタオルと、セーターなどのものを手で編むことが好きであるが、便利に携帯するために、糸をボールに巻く必要があり、大部分の人が手動で巻くことを選ぶが、効率が低いだけでなく、失敗もしやすく、既存の設備は効率を高めたが、人工で補助し完成することがまた必要となり、従って、自動糸巻き機が必要となり、本装置は自動的に糸を巻いて切断でき、次回の操作を行い、人工で操作する必要がなく、より快速で便利である。
【先行技術文献】
【特許文献】
【０００３】
【特許文献１】中国特許出願公開第109110568号明細書
【発明の概要】
【発明が解決しようとする課題】
【０００４】
本発明の目的は自動糸巻き機を提供し、それは上記の現在の技術中の問題を解決できる。
【課題を解決するための手段】
【０００５】
本発明の自動糸巻き機は、本体を含み、前記本体の上端面には挟み装置が左右に対称し設置され、前記本体の中の中間には上方に開口した糸巻きチャンバが設置され、前記糸巻きチャンバの左右両側には伸縮装置が対称的に設置され、前記糸巻きチャンバの前後両側には糸割り装置が対称的に設置され、前記伸縮装置の下側には動力装置が設置され、前記糸割り装置が前記伸縮装置に伝動できるように連結され、前記糸巻きチャンバの下側には前に開口した落ちチャンバが連通するように設置され、前記挟み装置が毛糸が周設されている大リールを前記糸巻きチャンバの上方に掛けることができ、前記挟み装置は前記本体の上端面に左右に対称的に設置されるガイドスライドチャンバを含み、前記ガイドスライドチャンバの中にはガイドスライドブロックがスライドできるように設置され、前記ガイドスライドブロックにおいて中心から離れている一端と前記ガイドスライドチャンバの内壁との間には圧縮ばねが固定的に連結され、前記ガイドスライドブロックの上端面には固定ロッドが固定的に設置され、前記固定ロッドにおいて中心に近接している端面には固定柱が固定的に設置され、
両側に前記固定ロッドを引き、大リールを前記固定柱に掛ける。
【０００６】
さらなる技術プラン、前記伸縮装置は前記糸巻きチャンバの左右両側に対称的に設置される伸縮チャンバを含み、前記伸縮チャンバと前記糸巻きチャンバとの間には抜き穴が連通するように設置され、前記伸縮チャンバの間のうち前記落ちチャンバの下側には制御モータが固定的に設置され、前記制御モータの左右両端には前記伸縮チャンバの中に伸びているねじボルトが対称的に設置され、前記伸縮チャンバの中には前記ねじボルトにネジ山により連結される伸縮ブロックがスライドできるように設置され、前記伸縮ブロックの上端面において中心に近接している一端には支持板が固定的に設置され、糸巻きロッドが前記支持板を貫通して前記抜き穴の中に伸びており、前記糸巻きロッドにおいて中心から離れている一端には回転柱が固定的に設置され、前記回転柱の外周面には外部に開口したレールが設置され、前記伸縮ブロックの上端面には前記レールの中でスライドできるガイドスライドロッドが固定的に設置され、前記糸巻きロッドと前記回転柱の中には開口が中心から離れているスプライン穴が連通するように設置され、前記スプライン穴の中にはスプライン軸がスライドできるように設置され、左右両側の前記レールの軌跡が一致であり、
前記回転柱が回転すると同時に前記レールの軌跡により前記ガイドスライドロッドに沿って左右に移動し、前記糸巻きロッドを回転連動させると同時に左右に移動連動させる。
【０００７】
さらなる技術プラン、前記糸割り装置は前記糸巻きチャンバの前後側に対称的に連通するように設置される刃物チャンバを含み、前記刃物チャンバにおいて中心から離れている側にはスライド板チャンバが連通するように設置され、前記スライド板チャンバの中にはスライド板がスライドできるように設置され、前記スライド板において中心に近接している一端には前記刃物チャンバを貫通し、且つ前記糸巻きチャンバの中に伸びる刃物が固定的に設置され、前記スライド板において中心に近接している側の端面の左右端には連結ロッドが対称的にヒンジにより連結され、前記連結ロッドにおいて中心から離れている一端が前記支持板の前後両端にヒンジにより連結されている。
【０００８】
さらなる技術プラン、前記動力装置は前記伸縮チャンバの下側に連通するように設置される噛合チャンバを含み、前記伸縮ブロックの下端が前記噛合チャンバの中に伸びており、且つ前記伸縮ブロックの下端には回転軸が左右に貫通し設置され、前記回転軸において中心に近接している一端には平歯車が固定的に設置され、前記噛合チャンバの間の内壁には動力モータが固定的に設置され、前記動力モータの左右両端には前記平歯車と噛合できる内歯車が対称的に伝動できるように連結され、前記回転軸の中には伝動軸がスプラインにより連結され、前記噛合チャンバにおいて中心から離れている側にはプーリチャンバが設置され、前記伝動軸において中心から離れている一端が前記プーリチャンバの中に伸びており、且つ前記伝動軸において中心から離れている一端には駆動プーリが固定的に設置され、前記スプライン軸において中心から離れている一端が前記プーリチャンバの中に伸びており、且つ前記スプライン軸において中心から離れている一端には従動プーリが固定的に設置され、前記駆動プーリと前記従動プーリとの間には伝動ベルトが周設され、
前記平歯車と前記内歯車とが噛合した後に、前記動力モータが始動し前記糸巻きロッドと前記回転柱とを回転連動させることができる。
【発明の効果】
【０００９】
本発明の有益的な効果は：本発明は構造が簡単で、操作が便利であり、本装置により糸を自動的に一つ一つの小さな糸ボールに巻き、また自動的に切断し次回の作業を行い、操作が非常に便利であり、作業効率も高い。
【図面の簡単な説明】
【００１０】
【図１】図１は本発明の自動糸巻き機の内部全体構造概略図
【図２】図２は図１のＡ−Ａ方向の構造概略図
【図３】図３は図２のＢ−Ｂ方向の構造概略図
【図４】図４は本発明の「回転柱」の外観概略図
【発明を実施するための形態】
【００１１】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−４を参照し、本発明の自動糸巻き機は、本体１１を含み、前記本体１１の上端面には挟み装置１０１が左右に対称し設置され、前記本体１１の中の中間には上方に開口した糸巻きチャンバ１２が設置され、前記糸巻きチャンバ１２の左右両側には伸縮装置１０２が対称的に設置され、前記糸巻きチャンバ１２の前後両側には糸割り装置１０３が対称的に設置され、前記伸縮装置１０２の下側には動力装置１０４が設置され、前記糸割り装置１０３が前記伸縮装置１０２に伝動できるように連結され、前記糸巻きチャンバ１２の下側には前に開口した落ちチャンバ１３が連通するように設置され、前記挟み装置１０１が毛糸が周設されている大リールを前記糸巻きチャンバ１２の上方に掛けることができ、前記挟み装置１０１は前記本体１１の上端面に左右に対称的に設置されるガイドスライドチャンバ１５を含み、前記ガイドスライドチャンバ１５の中にはガイドスライドブロック１６がスライドできるように設置され、前記ガイドスライドブロック１６において中心から離れている一端と前記ガイドスライドチャンバ１５の内壁との間には圧縮ばね１７が固定的に連結され、前記ガイドスライドブロック１６の上端面には固定ロッド１８が固定的に設置され、前記固定ロッド１８において中心に近接している端面には固定柱１９が固定的に設置され、
両側に前記固定ロッド１８を引き、大リールを前記固定柱１９に掛ける。
【００１３】
有益的には、前記伸縮装置１０２は前記糸巻きチャンバ１２の左右両側に対称的に設置される伸縮チャンバ２０を含み、前記伸縮チャンバ２０と前記糸巻きチャンバ１２との間には抜き穴２１が連通するように設置され、前記伸縮チャンバ２０の間のうち前記落ちチャンバ１３の下側には制御モータ２２が固定的に設置され、前記制御モータ２２の左右両端には前記伸縮チャンバ２０の中に伸びているねじボルト２３が対称的に設置され、前記伸縮チャンバ２０の中には前記ねじボルト２３にネジ山により連結される伸縮ブロック２４がスライドできるように設置され、前記伸縮ブロック２４の上端面において中心に近接している一端には支持板２５が固定的に設置され、糸巻きロッド１４が前記支持板２５を貫通して前記抜き穴２１の中に伸びており、前記糸巻きロッド１４において中心から離れている一端には回転柱２６が固定的に設置され、前記回転柱２６の外周面には外部に開口したレール２７が設置され、前記伸縮ブロック２４の上端面には前記レール２７の中でスライドできるガイドスライドロッド２８が固定的に設置され、前記糸巻きロッド１４と前記回転柱２６の中には開口が中心から離れているスプライン穴２９が連通するように設置され、前記スプライン穴２９の中にはスプライン軸３０がスライドできるように設置され、左右両側の前記レール２７の軌跡が一致であり、
前記回転柱２６が回転すると同時に前記レール２７の軌跡により前記ガイドスライドロッド２８に沿って左右に移動し、前記糸巻きロッド１４を回転連動させると同時に左右に移動連動させる。
【００１４】
有益的には、前記糸割り装置１０３は前記糸巻きチャンバ１２の前後側に対称的に連通するように設置される刃物チャンバ３１を含み、前記刃物チャンバ３１において中心から離れている側にはスライド板チャンバ３２が連通するように設置され、前記スライド板チャンバ３２の中にはスライド板３３がスライドできるように設置され、前記スライド板３３において中心に近接している一端には前記刃物チャンバ３１を貫通し、且つ前記糸巻きチャンバ１２の中に伸びる刃物３４が固定的に設置され、前記スライド板３３において中心に近接している側の端面の左右端には連結ロッド３５が対称的にヒンジにより連結され、前記連結ロッド３５において中心から離れている一端が前記支持板２５の前後両端にヒンジにより連結されている。
【００１５】
有益的には、前記動力装置１０４は前記伸縮チャンバ２０の下側に連通するように設置される噛合チャンバ３６を含み、前記伸縮ブロック２４の下端が前記噛合チャンバ３６の中に伸びており、且つ前記伸縮ブロック２４の下端には回転軸３７が左右に貫通し設置され、前記回転軸３７において中心に近接している一端には平歯車３８が固定的に設置され、前記噛合チャンバ３６の間の内壁には動力モータ３９が固定的に設置され、前記動力モータ３９の左右両端には前記平歯車３８と噛合できる内歯車４０が対称的に伝動できるように連結され、前記回転軸３７の中には伝動軸４１がスプラインにより連結され、前記噛合チャンバ３６において中心から離れている側にはプーリチャンバ４２が設置され、前記伝動軸４１において中心から離れている一端が前記プーリチャンバ４２の中に伸びており、且つ前記伝動軸４１において中心から離れている一端には駆動プーリ４３が固定的に設置され、前記スプライン軸３０において中心から離れている一端が前記プーリチャンバ４２の中に伸びており、且つ前記スプライン軸３０において中心から離れている一端には従動プーリ４４が固定的に設置され、前記駆動プーリ４３と前記従動プーリ４４との間には伝動ベルト４５が周設され、
前記平歯車３８と前記内歯車４０とが噛合した後に、前記動力モータ３９が始動し前記糸巻きロッド１４と前記回転柱２６とを回転連動させることができる。
【００１６】
初期状態に、刃物３４が互いに近づき糸巻きチャンバ１２を密封し、糸巻きロッド１４が伸縮チャンバ２０の中に引っ込み、伸縮ブロック２４が中心から離れている限界位置に位置しており、平歯車３８と内歯車４０とが噛合していない。
【００１７】
糸を巻くとき、大リールを固定ロッド１８の間に取り付け、糸の一端を引き出し刃物３４に落とし、制御モータ２２が始動しねじボルト２３を回転連動させ、ネジ山連結により伸縮ブロック２４を中心に近接している方向へ移動連動させ、支持板２５とガイドスライドロッド２８とにより回転柱２６と糸巻きロッド１４とを中心に近接している方向へ移動連動させ、糸巻きロッド１４が糸巻きチャンバ１２の中に伸びており、支持板２５が連結ロッド３５によりスライド板３３を中心から離れている方向へ移動連動させ、刃物３４を刃物チャンバ３１の中に移動連動させ、また糸巻きチャンバ１２を開け、糸の端が糸巻きチャンバ１２の中に落ち、糸巻きチャンバ１２が全開になると、糸巻きロッド１４が互いに近づき糸の端を挟み、このとき刃物３４が回転軸３７により平歯車３８を内歯車４０と噛合するまで移動連動させ、このとき動力モータ３９が始動し内歯車４０を回転連動させ、歯車噛合により平歯車３８を回転連動させ、回転軸３７と伝動軸４１により駆動プーリ４３を回転連動させ、伝動ベルト４５により従動プーリ４４を回転連動させ、スプライン軸３０により回転柱２６と糸巻きロッド１４とを回転連動させ、このとき糸巻きロッド１４が回転すると同時に左右に移動し、それにより糸を巻き、糸巻きが完成した後に、制御モータ２２が初期状態に反転し、刃物３４が糸を切断するとき、糸ボールが糸巻きロッド１４から離脱し、落ちチャンバ１３により収集される。
【００１８】
本発明の有益的な効果は：本発明は構造が簡単で、操作が便利であり、本装置により糸を自動的に一つ一つの小さな糸ボールに巻き、また自動的に切断し次回の作業を行い、操作が非常に便利であり、作業効率も高い。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。